(57)【要約】【課題】  互いに摺動可能な二つの筐体からなる携帯端末の動作を安定にする。【解決手段】  回路部９を有する第一筐体１と回路部１２を有する第二筐体２とが相対的に移動可能に連結され、第一筐体には、２つの回路部１，１２に電力を供給する第一電池８を設けると共に、回路部９と接続する電気接点７を設ける。第二筐体２には、回路部１２のみに一時的に電力を供給する第二電池１０をスイッチ１１を介して設けると共に、電気接点７に摺動接触する電気接点としての摺動部３を設ける。第一、第二筐体１，２が相対的に移動し、電気接点７と摺動部３とが摺動しているときに、チャタリング等により、回路部１２に第一筐体側からの電力が一時的に供給されなくなったことを摺動検出部１４，１５により検出し、摺動制御部１６によりスイッチ１１をONにすることにより、第二電池１０から回路部１２に電力を供給する。【選択図】        図３
2005192099.tif 000002
【特許請求の範囲】
【請求項１】
第一筐体と第二筐体とが相対的に移動可能に連結された携帯端末において、
前記第一筐体には、該第一筐体の回路及び前記第二筐体の回路に電力を供給する第一電池と、前記第二筐体の回路に電力を供給するための電気接点と、を備え、
前記第二筐体は、該第二筐体の回路が前記第一電池から電力の供給を受けるために前記電気接点と摺動接触する接触部と、前記第一電池からの電力供給が途絶えた場合に一時的に前記第二筐体の回路に電力を供給する第二電池と、を備えたことを特徴とする携帯端末。
【請求項２】
前記電気接点と前記接触部の接触状態を検出する検出手段と、該検出手段が非接触状態を検出した際に前記第二電池が前記第二筐体の回路に電力を供給するように制御する制御手段と、を備えたことを特徴とする請求項１記載の携帯端末。
【請求項３】
携帯端末の電源オフに伴って前記第一電池からの電力供給が途絶えた場合、前記制御手段は前記第二電池が前記第二筐体の回路に電力を供給しないよう制御することを特徴とする請求項１記載の携帯端末。
【請求項４】
前記第二筐体は表示手段と、所定の表示情報を記憶する記憶手段と、を備え、  
前記第二筐体の回路に対して前記第二電池による電力供給が所定時間継続する場合、前記表示手段は前記記憶手段に記憶されている所定の情報を表示することを特徴とする請求項１記載の携帯端末。
【発明の詳細な説明】
【技術分野】
【０００１】
本発明は、２つの筐体で構成された携帯電話機等の携帯端末に関するものである。
【背景技術】
【０００２】
従来より、例えば、動作用の一次電池とバックアップ用の二次電池といった複数の電池を筐体内に収納する技術がある（例えば、特許文献１参照）。このような従来技術は例えば携帯用通信機器で用いられる。携帯用通信機器においては、着脱可能な一次電池とこの一次電池を電源として繰り返し充電可能な二次電池が設けられ、一次電池の有無を検出し、一次電池があるときは、一次電池から携帯用通信機器に電力を供給すると共に、二次電池を充電し、一次電池が無いときは、二次電池から携帯用通信機器に電力を供給する給電制御手段を備えている。また、ユーザへの複数の報知手段を含む報知部を有し、さらに、電池の有無を電圧によって検出する検出部と、給電を切り替える切り替え部と、一次電池接続中は二次電池へ充電する充電制御部と、それらを制御する制御部を備えている。
【０００３】
また、筐体に収納された複数の電池のうち、一次電池の残容量によって、供給電源そのものを一次電池から二次電池に切り替える。このとき、携帯用通信機器を低消費電力状態、もしくはバックアップ状態に移行し、その間に一次電池を充電又は交換することを前提にしている。即ち、二次電池を使用している場合は、一次電池を使用していない。また、予備電池を有する携帯端末については、下記文献が開示している。
【特許文献１】特開２００２−３７４３２６号公報
【発明の開示】
【発明が解決しようとする課題】
【０００４】
ところで、２つの筐体が互いに摺動可能に連結されてなる携帯端末の場合、２つの筐体が摺動しているときは、第一筐体の回路にはこの第一筐体に収納された電池から電力を供給されるが、二つの筐体間の電力供給の構造によっては、極めて希に、摺動に伴って第二筐体の回路には一時的に前記第一筐体内の電池から電力が供給されなくなり、このため携帯端末が機能しなくなるという問題があった。
【課題を解決するための手段】
【０００５】
本発明による携帯端末は、第一筐体と第二筐体とが相対的に移動可能に連結された携帯端末において、前記第一筐体には、該第一筐体の回路及び前記第二筐体の回路に電力を供給する第一電池と、前記第二筐体の回路に電力を供給するための電気接点と、を備え、前記第二筐体は、該第二筐体の回路が前記第一電池から電力の供給を受けるために前記電気接点と摺動接触する接触部と、前記第一電池からの電力供給が途絶えた場合に一時的に前記第二筐体の回路に電力を供給する第二電池と、を備えたことを特徴とする。
また、前記電気接点と前記接触部の接触状態を検出する検出手段と、該検出手段が非接触状態を検出した際に前記第二電池が前記第二筐体の回路に電力を供給するように制御する制御手段とを備えたことを特徴とする。
また、携帯端末の電源オフに伴って前記第一電池からの電力供給が途絶えた場合、前記制御手段は前記第二電池が前記第二筐体の回路に電力を供給しないよう制御することを特徴とする。
また、前記第二筐体は、表示手段と、所定の表示情報を記憶する記憶手段と、を備え、前記第二筐体の回路に対して前記第二電池による電力供給が所定時間継続する場合、前記表示手段は前記記憶手段に記憶されている所定の情報を表示することを特徴とする。
【発明の効果】
【０００６】
本発明によれば、互いに摺動可能な二つの筐体からなる携帯端末において、一方の筐体から電力の供給を受ける他方の筐体内の回路の動作を安定させることができる。
【発明を実施するための最良の形態】
【０００７】
本発明においては、第一筐体と第二筐体とを相対的に移動可能に連結し、第一筐体に、第一、第二筐体の回路部に電力を供給する第一電池を収納し、第二筐体に、第二筐体の回路部のみに一時的に電力を供給する第二電池を収納すると共に、各筐体に互いに摺動する電気接点を設けた。
【実施例】
【０００８】
以下、本発明の実施例を図面と共に説明する。
図１（a）は本発明の実施例による携帯端末の正面図、（b）は斜視図である。
図１において、本実施例による携帯端末は、第一筐体１と第二筐体２からなり、第一筐体１と第二筐体２とは、矢印A方向に摺動可能に連結されている。第二筐体２の第一筐体１と対抗する面には、複数列の導電体からなる電気接点としての摺動部（接触部）３が設けられている。第一筐体１にはテンキー等の各種操作キー４が配され、第二筐体２にはファンクションキー等の各種操作キー５と表示部６が配されている。
【０００９】
図２（a）は第一筐体１と第二筐体２が重ねられて収縮した状態を示し、図２（b）は第一筐体１と第二筐体２が伸張されて開いた状態を示す。第一筐体１には、摺動部３と摺動接触する電気接点７が設けられており、第二筐体２が矢印Aのようにスライド移動している間にも、摺動部３と電気接点７との電気的接続が保たれるようになされている。
【００１０】
図３は本実施例による携帯端末の電気回路部の概略的な構成を示すブロック図である。
第一筐体１において、第一電池８が収納されており、その出力電力が、CPUを含む回路部９に供給されると共に、前記電気接点７に供給される。尚、電気接点７は複数あり、その一つと複数列ある摺動部３との接続によって、前記電力の供給ルートとは別にデータの伝達経路が形成されている。
【００１１】
第二筐体２において、第二電池１０が収納されており、その出力電力がスイッチ１１を介して回路部１２に供給される。第一電池８からの電力は、電気接点７と摺動部３との接続を介し逆流防止ダイオード１３を経由して回路部１２に供給される。また、電気接点７と摺動部３とが摺動接触していることを検出する一対の摺動検出部１４，１５が設けられている。摺動制御部１６は、摺動検出部１４，１５による摺動検出の有無と、第二筐体内への第一筐体側からの電力供給の有無を検出し、この検出に応じてスイッチ１１をON/OFF制御する。
【００１２】
次に、動作について説明する。
本実施例は、第二筐体２が平行移動して電気接点７と摺動部３とが摺動接触しているとき、機械的な振動によるチャタリングが生じ、電気接点７と摺動部３とが瞬間的に離れたとき、これを検出してスイッチ１１をONにすることにより、第二電池１０の電力を回路部１２に供給するようにしたものである。
まず、第二筐体２が平行移動していない状態では、摺動検出部１４，１５は摺動未検出であり、また、電気接点７と摺動部３とが接続されているので、第二筐体内へは第一電池８から電力が供給されている。また、スイッチ１１はOFFとなっており、第二電池１０は、逆流防止ダイオード１３を介して第一電池８から電力の供給を受けて充電されている。尚、第二電池１０は容量の小さいものでよく、例えば時間にして１０秒程度持つものでよい。
【００１３】
次に、第二筐体２が平行移動している状態では、摺動検出部１４，１５は摺動を検出し、かつ電気接点７と摺動部３とは、チャタリングによりON/OFFを繰り返している。そして、電気接点７と摺動部３とが瞬間的にOFFになり、第一電池８からの電力の供給が瞬間的に遮断されたとき、摺動制御部１６は、スイッチ１１をONにして、第二電池１０の電力を回路部１２に供給する。これによって回路部１２に電力を安定に供給することができる。
また、携帯端末の電源をOFFすると、摺動制御部１６は、摺動検出部１４，１５の検出及び入力電圧からスイッチ１１をOFFするので、回路部１２への電力供給が停止される。
【００１４】
図４は図３の電気回路部をさらに詳細に示したもので、特にデータの伝送部分を示し、図１、図２、図３と対応する部分には同一符号を付して重複する説明は省略する。
図４において、前記電気接点７と摺動部３との複数点での接続により、電力伝達摺動部１７と信号伝達摺動部１８とが形成されている。
第一筐体１において、第一電池８は、図３の回路部９内のCPU１９に電力を供給すると共に、電力伝達摺動部１７を介して第二筐体２に電力を供給する。CPU１９は携帯端末を全体的に制御するもので、その画像データ等を含む出力データは信号伝達摺動部１８を介して第二筐体２に伝送される。
【００１５】
第二筐体２において、信号伝達摺動部１８から入力されたデータは、第１記憶部２０および第２記憶部２１に交互に記憶された後、データ制御部２２及び第３記憶部２３に入力される。データ制御部２２には、第３記憶部２３のデータ、及び第４記憶部２４に格納された後述する報知データが入力される。データ制御部２２で処理されたデータは表示部６で表示される。
摺動制御部１６は、摺動検出部１４，１５の検出、及び電力伝達摺動部１７から入力された電圧を電圧検出回路２５で検出した電圧に基づいて前述したスイッチ１１の制御と、データ制御部２２の制御を行う。
【００１６】
図５は本実施例によるデータ処理のフローチャートであり、主としてステップＳ１からの検出フローと、ステップＳ９からのデータ転送フローがある。
本実施例は、摺動時に電気接点７と摺動部３とが離れ、一定時間非接触状態となった後、接触状態に復帰する時に、復帰中であることを第２記憶部２４の報知データにより表示するようにしたものである。
【００１７】
検出フローにおいて、ステップＳ２、Ｓ３（以下、ステップ略）で摺動検出部１４，１５は、それぞれ「０」（摺動未検出）及び「１」（摺動検出）を検出する。Ｓ４で摺動制御部１６は、Ｓ５による電圧検出結果をも考慮して、上記検出結果、両方が「１，１」のとき摺動中、「０，１」又は「１，０」のとき未摺動、「０，０」のとき電源OFFと判断する。
未摺動の場合は、Ｓ２からのフローを繰り返す。電源OFFの場合は、Ｓ６で電源OFFの処理を行い、Ｓ７でスイッチ１１をOFFにする。摺動中であれば、Ｓ８で摺動検出を行い、Ｓ１５及びＳ１６に進む。
【００１８】
一方、転送フローでは、Ｓ１０でCPU１９からの送出データを受けて、Ｓ１１で第１記憶部２０がFULLになると、送出データを第２記憶部２１に転送し、Ｓ１２で第２記憶部２１がFULLになると、送出データを第１記憶部２０に転送する。Ｓ１３でFULLになった第１記憶部２０又は第２記憶部２１のデータをデータ制御部２２と第３記憶部２３に転送する。Ｓ１４では、Ｓ１３で転送されたデータを第３記憶部２３に常時上書きする形で一時保存する。Ｓ１５では、Ｓ８で摺動が検出されると、第３記憶部２３にデータを転送するＳ１３の後のＳ１７で、表示部６にデータが送出されるようにデータ制御部１６によりスケジュールされる。Ｓ１６では、第３記憶部２３のデータがなくなったときに、第４記憶部２４に格納された報知データをＳ１７においてデータ制御部２２へ送出する。Ｓ１３，Ｓ１５，Ｓ１７からのデータを状態に合わせてＳ１８において表示部６へデータを送出することにより、摺動中の通常のデータ表示と、摺動時にデータが送出されなくなって表示が乱れるような場合に報知データの表示（例えば、「お待ちください」等）が行われる。
【００１９】
本実施例によれば、第一、第二筐体１，２が相対的に移動し、電気接点７と摺動部３とが摺動しているときに、チャタリング等により第二筐体２の回路部１２に第一筐体側からの電力が一時的に供給されなくなった場合に、第二電池１０から一時的に供給するようにしたので、回路部１２には安定して電力を供給することができ、携帯端末を安定して動作させることができる。
【００２０】
また、電気接点７と摺動部３との非接触状態が一定時間続いて電力を供給できなくなったときから、電気接点７と摺動部３とが再び接触して電力供給が復帰する場合、電力回復後、第一筐体１と第二筐体２の回路及びシステムが復旧するまで時間がかかるが、その時間中にユーザが不測に摺動操作を行うと、システムが復旧できない場合がある。
本実施例によれば、回路及びシステムが復帰中である旨を表示することで、ユーザの不要な摺動操作を制限することができる。尚、本実施例の場合、第１、第２、第３記憶部２０、２１、２３からのデータを表示部６に表示した後、第４記憶部２４の報知データを表示することで復帰中である旨を表示する。
【００２１】
尚、本発明の携帯端末は、携帯電話機や携帯情報端末（ＰＤＡ）などを含むものである。
【図面の簡単な説明】
【００２２】
【図１】本発明の実施例による携帯端末を示す正面図及び斜視図である。
【図２】携帯端末の収縮状態と伸長状態を示す側面図である。
【図３】携帯端末の電気回路部の構成を示すブロック図である。
【図４】携帯端末の電気回路部の詳細な構成を示すブロック図である。
【図５】携帯端末の動作を示すフローチャートである。
【符号の説明】
【００２３】
１  第一筐体          ２  第二筐体            ３  摺動部
４，５  操作キー      ６  表示部              ７  電気接点
８  第一電池          ９  回路部              １０  第二電池
１１  スイッチ        １２  回路部            １４，１５  摺動検出部
１６  摺動制御部      １７  電力伝達摺動部    １８  信号伝達摺動部
１９  CPU            ２２  データ制御部      ２０  第１記憶部
２１  第２記憶部      ２３  第３記憶部        ２４  第４記憶部
【図１】
2005192099.tif 000003
【図２】
2005192099.tif 000004
【図３】
2005192099.tif 000005
【図４】
2005192099.tif 000006
【図５】
2005192099.tif 000007